(57)【特許請求の範囲】
【請求項１】
受信したデジタル放送から記録対象の番組を選択する記録対象番組選択手段と、
前記記録対象番組選択手段によって選択された番組を記録するための記録対象番組記録手段と、
前記記録対象番組記録手段に記録されている番組を再生する記録番組再生手段と、
前記記録対象番組記録手段に記録されている番組に対し、シリーズ化された番組毎に放送話数に沿って順列化するための順列化情報を付加する番組順列化情報付加手段と、
前記順列化情報を基に前記記録対象番組記録手段に記録されている番組を各シリーズ化された番組毎に放送話数の順序に沿って前記記録番組再生手段へ送る番組順列再生手段と
を備え、前記記録対象番組記録手段に記録されている番組を各シリーズ化された番組毎に放送話数の順序に沿って再生するデジタル放送受信記録再生装置であって、
電子番組案内を受信する電子番組案内受信手段と、
前記記録対象番組記録手段に記録されている番組を特定するための情報を基に前記電子番組案内を検索し、前記記録対象番組記録手段に記録されているシリーズ化された番組で記録が抜けている話数に該当する番組が前記電子番組案内上に存在するときには、その番組を指定するための案内情報を前記記録対象番組選択手段に送る電子番組案内検索手段とを備え、前記記録対象番組記録手段が前記電子番組案内検索手段から送られた案内情報を基に記録が抜けている話数に該当する番組を選択して記録することを特徴とするデジタル放送受信記録再生装置。
【請求項２】
請求項１記載のデジタル放送受信記録再生装置であって、前記電子番組案内検索手段が前記記録対象番組記録手段に記録されているシリーズ化された番組で記録が抜けている話数に該当する番組を前記電子番組案内から検索したとき、その番組を指定するための案内情報を視聴者に教示して記録するか否かを問い合わせるための番組情報表示画面を生成し、記録する番組が視聴者により選択されると、その選択された番組の案内情報を前記記録対象番組選択手段に送る番組情報表示画面生成手段を備え、前記記録対象番組記録手段が前記番組情報表示画面生成手段から送られた案内情報を基に記録が抜けている話数に該当する番組を選択して記録することを特徴とするデジタル放送受信記録再生装置。
【請求項３】
受信したデジタル放送から記録対象の番組を選択する記録対象番組選択手段と、
前記記録対象番組選択手段によって選択された番組を記録するための記録対象番組記録手段と、
前記記録対象番組記録手段に記録されている番組を再生する記録番組再生手段と、
前記記録対象番組記録手段に記録されている番組に対し、シリーズ化された番組毎に放送話数に沿って順列化するための順列化情報を付加する番組順列化情報付加手段と、
前記順列化情報を基に前記記録対象番組記録手段に記録されている番組を各シリーズ化された番組毎に放送話数の順序に沿って前記記録番組再生手段へ送る番組順列再生手段とを備え、前記記録対象番組記録手段に記録されている番組を各シリーズ化された番組毎に放送話数の順序に沿って再生するデジタル放送受信記録再生装置であって、
前記記録対象番組記録手段に記録されているシリーズ化された番組で記録が抜けている話数を検索する番組不足分検索手段と、
前記番組不足分検索手段にて検索された話数を視聴者に教示してＶＯＤサービス提供局にその話数に該当する番組の配信を要求するか否かを問い合わせるための不足番組情報表示画面を生成する不足番組情報表示画面生成手段と、
視聴者により選択された番組の配信をＶＯＤサービス提供局に要求する番組不足分要求手段と
を備え、ＶＯＤサービス提供局から配信された番組を記録することを特徴とするデジタル放送受信記録再生装置。
【請求項４】
請求項３記載のデジタル放送受信記録再生装置であって、ＶＯＤサービス提供局に番組の配信を要求するに際し、当該番組と同シリーズの番組のうち、ＶＯＤサービス提供局から送られて既に記録してある記録済番組を前記記録対象番組記録手段から検索し、この記録済番組を特定する情報をＶＯＤサービス提供局に送信する記録済番組情報送信手段を備えることを特徴とするデジタル放送受信記録再生装置。
【請求項５】
デジタル放送受信記録再生装置とＶＯＤサービス提供局からなる番組配信システムであって、当該デジタル放送受信記録再生装置は請求項４記載のデジタル放送受信記録再生装置であり、当該ＶＯＤサービス提供局において、前記記録済番組情報送信手段の送信する記録済番組を特定する情報を基に番組配信料を割引することを特徴とする番組配信システム。
【請求項６】
当該ＶＯＤサービス提供局は、少なくとも、
前記番組不足分要求手段から配信を要求された番組を特定する情報を受け付けるサービス要求受付手段と、
前記記録済番組情報送信手段から送信される記録済番組を特定する情報を基に番組配信料の割引率を計算する割引率計算手段と、
前記サービス要求受付手段から送られる配信を要求された番組を特定する情報と割引率計算手段の求めた割引率とを基に番組配信料を計算する番組配信料計算手段と、
前記番組配信料計算手段の計算結果を受けて番組配信料を視聴者へ請求する課金手段とを備え、前記番組不足分要求手段から配信を要求された番組と同シリーズの番組のうち、当該ＶＯＤサービス配信局から送られて既に前記録画対象番組録画手段に記録してある録画済番組を特定する情報を基に番組の配信にかかる料金を割引することを特徴とする請求項５記載の番組配信システム。
【発明の詳細な説明】
【０００１】
【発明の属する技術分野】
本発明はデジタル放送受信記録再生装置、およびデジタル放送受信記録再生装置を用いてＶＯＤ（ビデオ・オン・デマンド）サービス提供局から番組の配信を受ける番組配信システムに関する。
【０００２】
【従来の技術】
図９は、従来のデジタル放送受信記録再生装置の構成を示す図である。
図９において、１００はデジタル放送受信記録再生装置本体、１０１は衛星デジタル放送や地上デジタル放送、ケーブル放送などを通じて受信したデジタル放送から記録対象の番組を選択する記録対象番組選択手段、１０２は記録対象番組選択手段１０１によって選択された番組を記録するための記録対象番組記録手段、１０３は記録対象番組記録手段１０２に記録されている番組を再生する記録番組再生手段である。
【０００３】
上述のように構成された従来のデジタル放送受信記録再生装置１００の記録再生動作を下記に示す。
まず受信したデジタル放送から記録対象番組選択手段１０１が記録対象の番組を選択し、記録対象番組記録手段１０２へ送る。記録対象番組記録手段１０２は送られた番組を記録する。記録番組再生手段１０３は記録対象番組記録手段１０２から送られた番組を再生し、テレビジョン等へ出力する。
【０００４】
以上のような従来のデジタル放送受信記録再生装置においては、ドラマやアニメ、スポーツ等を録画した場合に、これらのシリーズ化された番組を放送話数に沿って再生することができなかった。また、録画忘れなどで特定の話数が抜けている場合にこの抜けている話数に該当する番組の再放送などを自動的に検索して録画する機能や、ＶＯＤサービス提供局などにこの番組の配信を要求する機能などがなかった。また、デジタル放送受信記録再生装置から直接ＶＯＤサービス提供局などに番組の配信を要求し、この要求を受けたＶＯＤサービス提供局などから番組が配信されるシステムもなかった。
【０００５】
【発明が解決しようとする課題】
本発明は、上記問題点を解決するために、録画された番組に対し、シリーズ化された番組毎に放送話数に沿って順列化するための順列化情報を付加し、この順列化情報を基に番組を再生することにより、放送話数に沿った再生を行うことができ、また、電子番組案内を自動検索し、録画してあるシリーズ化された番組で録画が抜けている話数に該当するものが電子番組案内上に存在するときには、その話数に該当する番組を指定するための案内情報を得、この案内情報を基にその番組を録画することにより、録画できなかった話数に該当する番組の放送を録画することができるデジタル放送受信記録再生装置を提供することを目的とする。
【０００７】
また、録画してあるシリーズ化された番組で録画が抜けている話数を自動検索し、この話数に該当する番組の配信をＶＯＤサービス提供局に要求することにより、録画できなかった話数に該当する番組を録画することができるデジタル放送受信記録再生装置を提供することを目的とする。
【０００８】
また、デジタル放送受信記録再生装置において、録画してあるシリーズ化された番組で録画が抜けている話数を自動検索し、この話数に該当する番組の配信をＶＯＤサービス提供局に要求すると、ＶＯＤサービス提供局から目的の番組が配信される番組配信システムを提供することを目的とする。
【０００９】
【課題を解決するための手段】
本発明の請求項１記載のデジタル放送受信記録再生装置は、受信したデジタル放送から記録対象の番組を選択する記録対象番組選択手段と、前記記録対象番組選択手段によって選択された番組を記録するための記録対象番組記録手段と、前記記録対象番組記録手段に記録されている番組を再生する記録番組再生手段と、前記記録対象番組記録手段に記録されている番組に対し、シリーズ化された番組毎に放送話数に沿って順列化するための順列化情報を付加する番組順列化情報付加手段と、前記順列化情報を基に前記記録対象番組記録手段に記録されている番組を各シリーズ化された番組毎に放送話数の順序に沿って前記記録番組再生手段へ送る番組順列再生手段とを備え、前記記録対象番組記録手段に記録されている番組を各シリーズ化された番組毎に放送話数の順序に沿って再生するデジタル放送受信記録再生装置であって、電子番組案内を受信する電子番組案内受信手段と、前記記録対象番組記録手段に記録されている番組を特定するための情報を基に前記電子番組案内を検索し、前記記録対象番組記録手段に記録されているシリーズ化された番組で記録が抜けている話数に該当する番組が前記電子番組案内上に存在するときには、その番組を指定するための案内情報を前記記録対象番組選択手段に送る電子番組案内検索手段とを備え、前記記録対象番組記録手段が前記電子番組案内検索手段から送られた案内情報を基に記録が抜けている話数に該当する番組を選択して記録することを特徴とする。
【００１０】
以上のように、本発明の請求項１記載のデジタル放送受信記録再生装置によれば、記録した番組を放送話数に沿って再生することができる。また、装置に記録してあるシリーズ化された番組のうち記録できなかった話数に該当する番組を電子番組案内上において自動検索でき、その番組が電子番組案内上に存在すれば、その番組を自動的に記録することができる。
【００１２】
また、本発明の請求項２記載のデジタル放送受信記録再生装置は、請求項１記載のデジタル放送受信記録再生装置であって、前記電子番組案内検索手段が前記記録対象番組記録手段に記録されているシリーズ化された番組で記録が抜けている話数に該当する番組を前記電子番組案内から検索したとき、その番組を指定するための案内情報を視聴者に教示して記録するか否かを問い合わせるための番組情報表示画面を生成し、記録する番組が視聴者により選択されると、その選択された番組の案内情報を前記記録対象番組選択手段に送る番組情報表示画面生成手段を備え、前記記録対象番組記録手段が前記番組情報表示画面生成手段から送られた案内情報を基に記録が抜けている話数に該当する番組を選択して記録することを特徴とする。
【００１３】
以上のように、本発明の請求項２記載のデジタル放送受信記録再生装置によれば、装置に記録してあるシリーズ化された番組のうち記録できなかった話数に該当する番組を電子番組案内上において自動検索でき、その番組が電子番組案内上に存在すれば、その番組を視聴者の要求に応じて記録することができる。
【００１４】
また、本発明の請求項３記載のデジタル放送受信記録再生装置は、受信したデジタル放送から記録対象の番組を選択する記録対象番組選択手段と、前記記録対象番組選択手段によって選択された番組を記録するための記録対象番組記録手段と、前記記録対象番組記録手段に記録されている番組を再生する記録番組再生手段と、前記記録対象番組記録手段に記録されている番組に対し、シリーズ化された番組毎に放送話数に沿って順列化するための順列化情報を付加する番組順列化情報付加手段と、前記順列化情報を基に前記記録対象番組記録手段に記録されている番組を各シリーズ化された番組毎に放送話数の順序に沿って前記記録番組再生手段へ送る番組順列再生手段とを備え、前記記録対象番組記録手段に記録されている番組を各シリーズ化された番組毎に放送話数の順序に沿って再生するデジタル放送受信記録再生装置であって、前記記録対象番組記録手段に記録されているシリーズ化された番組で記録が抜けている話数を検索する番組不足分検索手段と、前記番組不足分検索手段にて検索された話数を視聴者に教示してＶＯＤサービス提供局にその話数に該当する番組の配信を要求するか否かを問い合わせるための不足番組情報表示画面を生成する不足番組情報表示画面生成手段と、視聴者により選択された番組の配信をＶＯＤサービス提供局に要求する番組不足分要求手段とを備え、ＶＯＤサービス提供局から配信された番組を記録することを特徴とする。
【００１５】
以上のように、本発明の請求項３記載のデジタル放送受信記録再生装置によれば、装置に記録してあるシリーズ化された番組のうち記録できなかった話数を自動検索でき、その話数に該当する番組を視聴者の要求に応じてＶＯＤサービス提供局に要求することができる。
【００１６】
また、本発明の請求項４記載のデジタル放送受信記録再生装置は、請求項３記載のデジタル放送受信記録再生装置であって、ＶＯＤサービス提供局に番組の配信を要求するに際し、当該番組と同シリーズの番組のうち、ＶＯＤサービス提供局から送られて既に記録してある記録済番組を前記記録対象番組記録手段から検索し、この記録済番組を特定する情報をＶＯＤサービス提供局に送信する記録済番組情報送信手段を備えることを特徴とする。
【００１７】
以上のように、本発明の請求項４記載のデジタル放送受信記録再生装置によれば、記録済番組を特定する情報をＶＯＤサービス提供局に送信することができる。
【００１８】
また、本発明の請求項５記載の番組配信システムは、デジタル放送受信記録再生装置とＶＯＤサービス提供局からなる番組配信システムであって、当該デジタル放送受信記録再生装置は請求項４記載のデジタル放送受信記録再生装置であり、当該ＶＯＤサービス提供局において、前記記録済番組情報送信手段の送信する記録済番組を特定する情報を基に番組配信料を割引することを特徴とする。
【００１９】
また、本発明の請求項６記載の番組配信システムは、請求項５記載の番組配信システムにおいて、当該ＶＯＤサービス提供局は、少なくとも、前記番組不足分要求手段から配信を要求された番組を特定する情報を受け付けるサービス要求受付手段と、前記記録済番組情報送信手段から送信される記録済番組を特定する情報を基に番組配信料の割引率を計算する割引率計算手段と、前記サービス要求受付手段から送られる配信を要求された番組を特定する情報と割引率計算手段の求めた割引率とを基に番組配信料を計算する番組配信料計算手段と、前記番組配信料計算手段の計算結果を受けて番組配信料を視聴者へ請求する課金手段とを備え、前記番組不足分要求手段から配信を要求された番組と同シリーズの番組のうち、当該ＶＯＤサービス配信局から送られて既に前記録画対象番組録画手段に記録してある録画済番組を特定する情報を基に番組の配信にかかる料金を割引することを特徴とする。
【００２０】
以上のように、本発明の請求項５および６記載の番組配信システムによれば、記録済番組を特定する情報をＶＯＤサービス提供局することで、番組配信料を割引することができる。
【００２１】
【発明の実施の形態】
以下、本発明の実施の形態を添付図面に基づき説明する。
（実施の形態１）
図１は、本発明の実施の形態１によるデジタル放送受信記録再生装置の構成を示す図である。
【００２２】
図１において、１００はデジタル放送受信記録再生装置本体、１０１は衛星デジタル放送や地上デジタル放送、ケーブル放送などを通じて受信したデジタル放送から記録対象の番組を選択する記録対象番組選択手段、１０２は記録対象番組選択手段１０１によって選択された番組を記録するための記録対象番組記録手段、１０３は記録対象番組記録手段１０２に記録されている番組を再生する記録番組再生手段、１０４は記録対象番組記録手段１０２に記録されている番組に対し、シリーズ化された番組毎に放送話数に沿って順列化するための順列化情報を付加する番組順列化情報付加手段、１０５は上記順列化情報を基に記録対象番組記録手段１０２に記録されている番組を各シリーズ化された番組毎に放送話数の順序に沿って前記記録番組再生手段へ送る番組順列再生手段である。
【００２３】
また図２は、デジタル放送受信記録再生装置１００の記録対象番組記録手段１０２に記録された情報の構成例である。図２に示すように、記録対象番組選択手段１０１から送られた番組のコンテンツは、送られた順に録画コンテンツ１０７に記録されるとともに、番組順列化情報付加手段１０４により同シリーズの番組に順列化情報が付加される。つまり、番組順列化情報付加手段１０４により同シリーズの番組に起点タグ１０６からポインタが張られていく。例えば、起点タグ１０６の番組１からドラマＡの第三話、ドラマＡの第四話の順序でポインタが張られていく。
【００２４】
上述のように構成された本実施の形態１によるデジタル放送受信記録再生装置１００の記録再生動作を下記に示す。
まず受信したデジタル放送から記録対象番組選択手段１０１が記録対象の番組を選択し、記録対象番組記録手段１０２へ送る。記録対象番組記録手段１０２は送られた番組を記録する。
【００２５】
番組順列化情報付加手段１０４はこの番組が既に記録されているシリーズ化された番組に係るものであるか否かを検索し、そうであった場合、同シリーズの最後の話数からポインタを張る。もし新規番組であったら起点タグ１０６からポインタを張る。また、同シリーズの番組うち記録が抜けている話数であった場合には、ポインタを張り替えて順列を整える。なお、番組順列化情報付加手段１０４は、例えば番組のタイトル画面に文字認識をかけるなどして検索を行う。また、電子番組案内に含まれる番組を指定するための案内情報を用いて記録対象番組選択手段１０１により選択した番組には、この案内情報を基に識別子を付加して記録対象番組記録手段１０２に記録し、番組順列化情報付加手段１０４がこの識別子を基にして検索を行うようにしてもよい。
【００２６】
番組順列再生手段１０５は放送話数に従った再生の指定されたシリーズ化された番組を起点タグ１０６から順番にポインタをたどりながら記録番組再生手段１０３に送る。記録番組再生手段１０３は送られた番組を再生し、テレビジョン等へ出力する。
【００２７】
なお、番組の放送話数に従った再生が指定されない場合には、録画コンテンツ１０７上の指定された場所から記録順に従い、図１に点線で示すように記録対象番組記録手段１０２に記録されている番組を記録番組再生手段１０３に送り再生するようにする。
【００２８】
以上のように、本実施の形態１によるデジタル放送受信記録再生装置によれば、複数の番組が記録されている記録対象番組記録手段の中から、シリーズ化された番組を放送話数の順に従って再生することができる。
【００２９】
（実施の形態２）
図３は、本発明の実施の形態２によるデジタル放送受信記録再生装置の構成を示す図である。なお、前述した実施の形態１と同じ構成を有する部材には同一の番号を付記して、説明を省略する。
【００３０】
図３に示すデジタル放送受信記録再生装置１００と図１に示すデジタル放送受信記録再生装置との違いは、電子番組案内検索手段１０９が、記録対象番組記録手段１０２に記録されている番組を特定するための情報を基に、電子番組案内受信手段１０８で受信した電子番組案内を検索し、記録対象番組記録手段１０２に記録されているシリーズ化された番組で記録が抜けている話数が再放送等により存在する場合には、その番組が録画されるようにする点にある。
【００３１】
上述のように構成された本実施の形態２によるデジタル放送受信記録再生装置１００の動作のうち、特に記録対象番組記録手段１０２に記録されているシリーズ化された番組で記録が抜けている話数を検索して記録再生する動作を中心に下記に示す。
【００３２】
まず電子番組案内受信手段１０８が電子番組案内を受信して電子番組案内検索手段１０９に送る。電子番組案内検索手段１０９は電子番組案内を検索し、記録対象番組記録手段１０２に記録されているシリーズ化された番組で記録が抜けている話数に該当する番組が電子番組案内上に含まれていないか調べ、含まれていた場合、電子番組案内に含まれるその番組を指定するための案内情報を記録対象番組選択手段１０１に送る。
【００３３】
なお、電子番組案内に含まれる番組を指定するための案内情報を用いて記録対象番組選択手段１０１により選択した番組には、この案内情報を基に識別子を付加して記録対象番組記録手段１０２に記録し、電子番組案内検索手段１０９がこの識別子を基にして検索を行うようにする。また、上記識別子が付加されていない場合には、タイトル画面に文字認識をかけるなどして検索を行うようにする。
【００３４】
記録対象番組選択手段１０１は、電子番組案内検索手段１０９から送られた案内情報を基に、受信したデジタル放送から記録対象の番組（案内情報により指定された番組）を選択し、記録対象番組記録手段１０２へ送る。記録対象番組記録手段１０２は送られた番組を記録する。
【００３５】
番組順列化情報付加手段１０４は、同シリーズの番組を記録対象番組記録手段１０２内から検索し、ポインタを張り替えて順列を整える。なお、番組順列化情報付加手段１０４は、上述のように案内情報を基にした識別子が番組に付加されていればこの識別子を基に検索を行う。また、識別子が付加されていない場合には、タイトル画面に文字認識をかけるなどして検索を行う。
【００３６】
番組順列再生手段１０５は放送話数に従った再生の指定されたシリーズ化された番組を起点タグ１０６から順番にポインタをたどりながら記録番組再生手段１０３に送る。記録番組再生手段１０３は送られた番組を再生し、テレビジョン等へ出力する。
【００３７】
なお、記録対象番組記録手段１０２に記録されているシリーズ化された番組の続きの話数に該当する番組であったり、新規番組を記録する場合の動作は、実施の形態１のデジタル放送受信記録再生装置と同様であるので、説明を省略する。
【００３８】
以上のように、本実施の形態２によるデジタル放送受信記録再生装置によれば、電子番組案内を自動的に検索し、記録してあるシリーズ化された番組のうち記録できなかった話数に該当する番組の再放送等を自動的に記録することができる。
【００３９】
（実施の形態３）
図４は、本発明の実施の形態３によるデジタル放送受信記録再生装置の構成を示す図である。なお、前述した実施の形態２と同じ構成を有する部材には同一の番号を付記して、説明を省略する。
【００４０】
図４に示すデジタル放送受信記録再生装置１００と図３に示すデジタル放送受信記録再生装置との違いは、電子番組案内検索手段１０９が電子番組案内から、記録対象番組記録手段１０２に記録されているシリーズ化された番組で記録が抜けている話数に該当する番組を検索した場合、この番組を録画するか否かを視聴者に問い合わせるための画面（番組情報表示画面）を生成する番組情報表示画面生成手段１１０を備える点である。
【００４１】
また、図５は番組情報表示画面生成手段１１０によって生成された番組情報表示画面の例である。図５に示す番組情報表示画面１１１には、記録が抜けている話数に該当する番組を指定するための案内情報（放送日時、放送局、タイトル、話数など）を視聴者に教示するための番組情報メッセージ部１１２と、視聴者がこの該当する番組を録画するか否かを決定するためのボタン１１３、１１４とが表示される。なお、図５では、番組情報メッセージ部１１２に１つの番組の案内情報を表示しているが、電子番組案内に該当する番組が複数存在するときには、例えば、番組情報メッセージ部１１２にそれらの案内情報を縦覧表示しカーソル等で選択するようにしてもよいし、番組情報メッセージ部１１２に１つの番組の案内情報を表示するようにして番組情報メッセージ部１１２の表示を切り換えて選択するようにしてもよい。
【００４２】
上述のように構成された本実施の形態３によるデジタル放送受信記録再生装置１００の動作のうち、特に記録対象番組記録手段１０２に記録されているシリーズ化された番組で記録が抜けている話数を検索して記録再生する動作を中心に下記に示す。
【００４３】
まず電子番組案内受信手段１０８が電子番組案内を受信して電子番組案内検索手段１０９に送る。電子番組案内検索手段１０９は電子番組案内を検索し、記録対象番組記録手段１０２に記録されているシリーズ化された番組で記録が抜けている話数に該当する番組が電子番組案内上に含まれていないか調べ、含まれていた場合、電子番組案内に含まれるその番組を指定するための案内情報を番組情報表示画面生成手段１１０に送る。
【００４４】
番組情報表示画面生成手段１１０は電子番組案内検索手段１０９から送られた情報を基に、図５に示す番組情報表示画面１１１を生成し表示する。視聴者が番組情報表示画面１１１上で録画する意志を示した場合、指定された番組の案内情報を記録対象番組選択手段１０１に送る。なおボタン１１３、１１４の操作は、例えばリモコン等を通じて行う。
【００４５】
記録対象番組選択手段１０１は、電子番組案内検索手段１０９から送られた案内情報を基に、受信したデジタル放送から記録対象の番組（案内情報により指定された番組）を選択し、記録対象番組記録手段１０２へ送る。
【００４６】
以下の動作は、実施の形態２と同様であるので、説明を省略する。
また、記録対象番組記録手段１０２に記録されているシリーズ化された番組の続きの話数に該当する番組であったり、新規番組を記録する場合の動作についても、実施の形態２のデジタル放送受信記録再生装置と同様であるので、説明を省略する。
【００４７】
以上のように、本実施の形態３によるデジタル放送受信記録再生装置によれば、電子番組案内を自動的に検索し、記録してあるシリーズ化された番組のうち記録できなかった話数に該当する番組の再放送等を視聴者の意志に沿って記録することができる。
【００４８】
（実施の形態４）
図６は、本発明の実施の形態４によるデジタル放送受信記録再生装置の構成を示す図である。なお、前述した実施の形態１と同じ構成を有する部材には同一の番号を付記して、説明を省略する。
【００４９】
図６に示すデジタル放送受信記録再生装置１００と図１に示すデジタル放送受信記録再生装置との違いは、記録対象番組記録手段１０２に記録されているシリーズ化された番組で記録が抜けている話数を検索する番組不足分検索手段１１５と、不足分の話数（記録が抜けている話数）に該当する番組をＶＯＤ（ビデオ・オン・デマンド）サービス提供局等に要求するか否かを視聴者に問い合わせるための画面（不足番組情報表示画面）を生成する不足番組情報表示画面生成手段１１６と、不足番組情報表示画面上で選択された番組をＶＯＤサービス提供局等に要求する番組不足分要求手段１１７とを備える点である。
【００５０】
また、図７は不足番組情報表示画面生成手段１１６によって生成された不足番組情報表示画面の例である。図７に示す不足番組情報表示画面１１８には、不足分の話数の情報を視聴者に教示するための不足番組情報メッセージ部１１９と、視聴者が不足分の話数に該当する番組をＶＯＤサービス提供局等に要求するか否かを決定するためのボタン１２０、１２１とが表示される。また、図７に示す例では、不足番組情報メッセージ部１１９上に録画済みの放送話数のリストと、録画未済の放送話数のリストが掲載されている。なお、図７では、録画未済の放送話数が１つの例を示しているが、複数あるときにはカーソル等で選択するようにしてもよい。また、不足番組情報メッセージ部１１９には同シリーズのリストが表示されているが、不足分の話数を含むシリーズ化された番組が複数あるときには、例えば、シリーズ化された番組のリスト毎に切り換え表示できるようにしてもよい。
【００５１】
上述のように構成された本実施の形態４によるデジタル放送受信記録再生装置１００の動作のうち、特に記録対象番組記録手段１０２に記録されているシリーズ化された番組で記録が抜けている話数をＶＯＤサービス提供局等に要求し、記録再生する動作を中心に下記に示す。
【００５２】
まず番組不足分検索手段１１５は記録対象番組記録手段１０２を検索し、記録対象番組記録手段１０２に記録されているシリーズ化された番組で記録が抜けている話数が存在する場合には、この抜けている話数に関する情報（タイトル、話数など）を不足番組情報表示画面生成手段１１６に送る。
【００５３】
なお、番組不足分検索手段１１５は、例えば番組のタイトル画面に文字認識をかけるなどして記録対象番組記録手段１０２に記録されているシリーズ化された番組で記録が抜けている話数の検索を行う。また、電子番組案内に含まれる番組を指定するための案内情報を用いて記録対象番組選択手段１０１により選択した番組には、この案内情報を基に識別子を付加して記録対象番組記録手段１０２に記録し、番組不足分検索手段１１５がこの識別子を基にして検索を行うようにしてもよい。
【００５４】
不足番組情報表示画面生成手段１１６は番組不足分検索手段１１５から送られた情報を基に不足番組情報表示画面１１８を生成し表示する。
視聴者が不足番組情報表示画面１１８上でＶＯＤサービス提供局へ配信を要求する番組を選択した場合、その要求する番組を特定する情報を番組不足分要求手段１１７に送る。なおボタン１２０、１２１の操作は、例えばリモコン等を通じて行う。
【００５５】
番組不足分要求手段１１７は選択された番組の配信をＶＯＤサービス提供局に要求する。
記録対象番組記録手段１０２はＶＯＤサービス提供局から送られた番組を記録する。
【００５６】
番組順列化情報付加手段１０４は、記録対象番組記録手段１０２に記録されている同シリーズの番組を検索し、ポインタを張り替えて順列を整える。なお、番組順列化情報付加手段１０４は、上述のように案内情報を基にした識別子が番組に付加されていればこの識別子を基に検索を行う。また、識別子が付加されていない場合には、タイトル画面に文字認識をかけるなどして検索を行う。
【００５７】
番組順列再生手段１０５は放送話数に従った再生の指定されたシリーズ化された番組を起点タグ１０６から順番にポインタをたどりながら記録番組再生手段１０３に送る。記録番組再生手段１０３は送られた番組を再生し、テレビジョン等へ出力する。
【００５８】
なお、記録対象番組記録手段１０２に記録されているシリーズ化された番組の続きの話数に該当する番組であったり、新規番組を記録する場合の動作についても、実施の形態１のデジタル放送受信記録再生装置と同様であるので、説明を省略する。
【００５９】
以上のように、本実施の形態４によるデジタル放送受信記録再生装置によれば、記録してあるシリーズ化された番組のうち記録できなかった話数を自動的に検索し、その話数に該当する番組の配信を視聴者の意志に沿ってＶＯＤサービス提供局等に対して要求することができ、記録できなかった話数を手に入れることができる。
【００６０】
（実施の形態５）
図８は、本発明の実施の形態５による番組配信システムの構成を示す図である。なお、前述した実施の形態４と同じ構成を有する部材には同一の番号を付記して、説明を省略する。
【００６１】
図８に示すデジタル放送受信記録再生装置１００と図６に示すデジタル放送受信記録再生装置との違いは、ＶＯＤサービス提供局に要求する番組に係るシリーズ化された番組のうち、ＶＯＤサービス提供局から送られて既に記録してある同シリーズの記録済番組を記録対象番組記録手段１０２から検索し、この記録済番組を特定する情報をＶＯＤサービス提供局に送信する記録済番組情報送信手段１２２を備える点である。
【００６２】
また、ＶＯＤサービス提供局２００は、番組不足分要求手段１１７からの要求を受け付けるサービス要求受付手段２０１と、記録済番組情報送信手段１２２から送信される記録済番組を特定する情報を受信して番組配信料の割引率を計算する割引率計算手段２０２と、サービス要求受付手段２０１から送られる配信を要求された番組を特定する情報と割引率計算手段２０２の求めた割引率とを基に番組配信料を計算する番組配信料計算手段２０３と、番組配信料計算手段２０３の計算結果を受けて番組配信料を視聴者へ請求する課金手段２０４を備えている。このように、視聴者から要求された番組に係るシリーズ化された番組のうち、ＶＯＤサービス提供局から送られて既に記録してある同シリーズの記録済番組を特定する情報を受け取り、要求された番組の配信にかかる料金を割引する。割引率計算手段２０２は、例えば、記録済番組数に応じて割引率を決定する。
【００６３】
上述のように構成された本発明の実施の形態５による番組配信システムの動作を下記に示す。
まず記録対象番組記録手段１０２に記録されているシリーズ化された番組で記録が抜けている話数を検索し、視聴者の指定した番組の配信を番組不足分要求手段１１７よりＶＯＤサービス提供局２００へ要求するまでの動作は実施の形態４と同様である。
【００６４】
デジタル放送受信記録再生装置１００は、視聴者の指定した番組の配信を番組不足分要求手段１１７よりＶＯＤサービス提供局２００へ要求するとともに、記録済番組情報送信手段１２２により、ＶＯＤサービス提供局に要求する番組に係るシリーズ化された番組のうち、ＶＯＤサービス提供局から送られて既に記録してある同シリーズの記録済番組を記録対象番組記録手段１０２から検索し、この記録済番組を特定する情報をＶＯＤサービス提供局２００に送信する。
【００６５】
なお、記録済番組情報送信手段１２２は、番組不足分検索手段１１５と同様に、例えば番組のタイトル画面に文字認識をかけるなどして記録済番組の検索を行う。また、電子番組案内に含まれる番組を指定する案内情報を用いて記録対象番組選択手段１０１により選択した番組には、この案内情報を基に識別子を付加して記録対象番組記録手段１０２に記録し、番組不足分検索手段１１５がこの識別子を基にして検索を行うようにしてもよい。
【００６６】
ＶＯＤサービス提供局２００では視聴者の指定した番組を特定する情報をサービス要求受付手段２０１で受信し、その情報を番組配信料計算手段２０３に送る。また、割引率計算手段２０２が、記録済番組を特定する情報を基に番組配信料の割引率を計算し、番組配信料計算手段２０３に送る。
【００６７】
番組配信料計算手段２０３は、これらの情報から視聴者の要求する番組の配信料を計算し課金手段２０４に送る。課金手段２０４はこの番組配信料を視聴者に請求する。
【００６８】
記録対象番組記録手段１０２はＶＯＤサービス提供局から送られた番組を記録する。
以下の動作は、実施の形態４と同様であるので、説明を省略する。
【００６９】
なお、記録対象番組記録手段１０２に記録されているシリーズ化された番組の続きの話数に該当する番組であったり、新規番組を記録する場合の動作についても、実施の形態４のデジタル放送受信記録再生装置と同様であるので、説明を省略する。
【００７０】
以上のように、本実施の形態５による番組配信システムによれば、記録しているシリーズ化された番組のうち記録できなかった話数を自動的に検索し、その話数に該当する番組を視聴者の意志に沿ってＶＯＤサービス提供局に対して要求することができ、また、ＶＯＤサービス提供局に要求する番組に係るシリーズ化された番組のうち、ＶＯＤサービス提供局から送られて既に記録してある同シリーズの記録済話数によって配信料を安くすることができる。これにより、ＶＯＤサービス提供局から継続して番組を配信してもらうことが視聴者にとって視聴料が安くなるなどのメリットとなる。
【００７１】
【発明の効果】
以上のように、本発明のデジタル放送受信記録再送装置によれば、複数の種類の番組が記録されている中からシリーズ化された番組を放送話数に沿って連続して再生することが可能となる。また、継続して記録しているシリーズ化された番組で記録できなかった話数に該当する番組を電子番組案内から検索して記録することが可能になる。また、記録できなかった話数に該当する番組をＶＯＤサービス提供局等に要求することが可能となる。このようにデジタル放送受信記録再送装置の操作性を高めることができる。
【００７２】
本発明の番組配信システムによれば、記録しているシリーズ化された番組で記録できなかった話数に該当する番組を継続してＶＯＤサービス提供局に要求すると、配信料を安くすることができ、視聴者は該当番組を安く視聴することが可能になる。
【図面の簡単な説明】
【図１】本発明の実施の形態１によるデジタル放送受信記録再生装置の構成を示す図
【図２】本発明の実施の形態１によるデジタル放送受信記録再生装置の記録対象番組記録手段に記録された情報の構成例を示す図
【図３】本発明の実施の形態２によるデジタル放送受信記録再生装置の構成を示す図
【図４】本発明の実施の形態３によるデジタル放送受信記録再生装置の構成を示す図
【図５】本発明の実施の形態３によるデジタル放送受信記録再生装置の番組情報表示画面生成手段によって生成された番組情報表示画面の例を示す図
【図６】本発明の実施の形態４によるデジタル放送受信記録再生装置の構成を示す図
【図７】本発明の実施の形態４によるデジタル放送受信記録再生装置の不足番組情報表示画面生成手段によって生成された不足番組情報表示画面の例を示す図
【図８】本発明の実施の形態５による番組配信システムの構成を示す図
【図９】従来のデジタル放送受信記録再生装置の構成を示す図
【符号の説明】
１００  デジタル放送受信記録再生装置
１０１  記録対象番組選択手段
１０２  記録対象番組記録手段
１０３  記録番組再生手段
１０４  番組順列化情報付加手段
１０５  番組順列再生手段
１０６  起点タグ
１０７  録画コンテンツ
１０８  電子番組案内受信手段
１０９  電子番組案内検索手段
１１０  番組情報表示画面生成手段
１１１  番組情報表示画面
１１２  番組情報メッセージ部
１１３  録画するボタン
１１４  録画しないボタン
１１５  番組不足分検索手段
１１６  不足番組情報表示画面生成手段
１１７  番組不足分要求手段
１１８  不足番組情報表示画面
１１９  不足番組情報メッセージ部
１２０  要求するボタン
１２１  要求しないボタン
１２２  記録済番組情報送信手段
２００  ＶＯＤサービス提供局
２０１  サービス要求受付手段
２０２  割引率計算手段
２０３  番組配信料計算手段
２０４  課金手段
【図１】
0003983083.tif 000002
【図２】
0003983083.tif 000003
【図３】
0003983083.tif 000004
【図４】
0003983083.tif 000005
【図５】
0003983083.tif 000006
【図６】
0003983083.tif 000007
【図７】
0003983083.tif 000008
【図８】
0003983083.tif 000009
【図９】
0003983083.tif 000010